(57)【要約】【課題】空気中の浮遊塵埃を吸引することができる電気掃除機を提供する。【解決手段】吸引風を発生させる電動送風機１と、この電動送風機１の吸引風により床面の塵埃を吸引する床面吸込口１４を備えた吸込具７と、前記電動送風機１の吸引風により空気中の浮遊塵埃を吸引する空気取入口１２と、この空気取入口１２の開口方向を可変する開口方向設定手段１３と、前記吸込具７の進行方向を検出する進行方向検知手段１６とを備え、前記開口方向設定手段１３は、前記空気取入口１２の開口方向を前記進行方向検知手段１６が検知する前記吸込具７の進行方向に応じて変化させることにより、空気取入口１２の開口方向が吸込具７の進行方向に合わせて変化するため、吸込具７の進行方向に因らず、浮遊塵埃の吸引が可能となる。【選択図】図１
2010094399.tif 000002
【特許請求の範囲】
【請求項１】
吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口方向を可変する開口方向設定手段と、前記吸込具の進行方向を検出する進行方向検知手段とを備え、前記開口方向設定手段は、前記空気取入口の開口方向を前記進行方向検知手段が検知する前記吸込具の進行方向に応じて変化させる電気掃除機。
【請求項２】
進行方向検知手段が吸込具の進行方向を前方向と判断した場合は、開口方向設定手段は空気取入口の開口方向を前方に動作させ、進行方向検知手段が吸込具の進行方向を後方向と判断した場合は、開口方向設定手段は空気取入口の開口方向を後方に動作させる請求項１に記載の電気掃除機。
【請求項３】
進行方向検知手段が吸込具の状態が操作されていない停止状態であると判断した場合は、開口方向設定手段は空気取入口の開口方向を鉛直方向に動作させる請求項１に記載の電気掃除機。
【発明の詳細な説明】
【技術分野】
【０００１】
本発明は電気掃除機に関するものであり、特に空気中の浮遊塵埃を吸引するための制御に関するものである。
【背景技術】
【０００２】
従来のこの種の電気掃除機として、吸込具上面に多数の微小孔を設け、空気中の浮遊塵埃を吸引する構成にしたものがある（例えば、特許文献１参照）。
【特許文献１】特許第２８１７００４号公報
【発明の開示】
【発明が解決しようとする課題】
【０００３】
しかしながら、前記従来の構成では、吸込具上面の微小孔が常に同一の開口方向に開いたままであるため、一定方向の浮遊塵埃の吸引には適しているが、開口方向以外の方向に吸込具を操作されると、浮遊塵埃の吸引効率が悪くなるという課題を有していた。
【０００４】
本発明は前記従来の課題を解決するもので、吸込具の進行方向に因らず、どの方向に操作されても、浮遊塵埃の吸引が可能な電気掃除機を提供することを目的とする。
【課題を解決するための手段】
【０００５】
前記従来の課題を解決するために、本発明の電気掃除機は、吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口方向を可変する開口方向設定手段と、前記吸込具の進行方向を検出する進行方向検知手段とを備え、前記開口方向設定手段は、前記空気取入口の開口方向を前記進行方向検知手段が検知する前記吸込具の進行方向に応じて変化させることを特徴としたものである。
【０００６】
これによって、空気取入口の向きを吸込具の進行方向に合わせて変化させるため、従来例のように吸込具の進行方向に因らず、どの方向に操作されても浮遊塵埃の多く存在する空間方向に空気取入口を向けられ、浮遊塵埃の吸引効果を高めることが可能となる。
【発明の効果】
【０００７】
本発明の電気掃除機は、吸込具の進行方向に依存せずに、精度良く浮遊塵埃の吸引を行うことが可能な電気掃除機を提供することができる。
【発明を実施するための最良の形態】
【０００８】
第１の発明は吸引風を発生させる電動送風機と、この電動送風機の吸引風により床面の塵埃を吸引する床面吸込口を備えた吸込具と、前記電動送風機の吸引風により空気中の浮遊塵埃を吸引する空気取入口と、この空気取入口の開口方向を可変する開口方向設定手段と、前記吸込具の進行方向を検出する進行方向検出手段を備え、前記開口方向設定手段は、前記空気取入口の開口方向を前記進行方向検知手段が検知する前記吸込具の進行方向に応じて変化させることにより、前記空気取入口の開口方向を前記吸込具の進行方向に合わせることとなり、吸込具をどの方向に操作されても浮遊塵埃の多く存在する空間方向に空気取入口を向けられ、精度良く浮遊塵埃の吸引を行うことが可能となる。
【０００９】
第２の発明は、特に第１の発明において、進行方向検知手段が吸込具の進行方向を前方向と判断した場合は、開口方向設定手段は空気取入口の開口方向を前方に動作させ、進行
方向検知手段が吸込具の進行方向を後方向と判断した場合は、開口方向設定手段は空気取入口の開口方向を後方に動作させる。一般に吸引具を前に操作した場合には吸引具が床面の塵埃を押し上げ塵埃の舞上がりが増加して、前方の浮遊塵埃量の分布が大きくなる。本発明は吸引具が前方向に動いたタイミングで空気取入口の開口方向を前方に向けることができるので効率良く浮遊塵埃を吸引できる。同様に、吸引具を後ろに操作した場合には吸引具が床面の塵埃を押し上げ塵埃の舞上がりが増加して、後方の浮遊塵埃量の分布が大きくなる。本発明は吸引具が後方向に動いたタイミングで空気取入口の開口方向を後方に向けることができるので効率良く浮遊塵埃を吸引できる。
【００１０】
第３の発明は、特に第１の発明において、進行方向検知手段が吸込具の状態が操作されていない停止状態であると判断した場合は、開口方向設定手段は空気取入口の開口方向を鉛直方向に動作させることにより、精度良く浮遊塵埃を吸引することができる。
【００１１】
以下、本発明の実施の形態について、図面を参照しながら説明する。なお、本実施の形態によって本発明が限定されるものでは無い。
【００１２】
（実施の形態）
図１は、本発明の実施の形態における電気掃除機の概略図、図２は吸込具の進行方向と開口方向設定手段の動作状態を示す図であり、図３は同実施の形態における電気掃除機の動作を説明するフローチャートである。
【００１３】
図１において、電動送風機１は塵埃を吸引するための吸込力を発生させるものである。集塵袋１０は電動送風機１よりも吸気側に備えられており、電動送風機１によって吸引された塵埃と吸気風の内、吸気風のみを通過させることで塵埃を集塵する。ホース１１は塵埃を集塵袋１０へ中継するもので、電気掃除機本体８と、入力設定手段４とを接続している。入力設定手段４には延長管６と、その延長管６には吸込具７が接続され構成されている。入力設定手段４は、使用者が電動送風機１を動作する運転モードや、電動送風機１を停止する停止モードなどを選択し、制御手段３に信号を伝達する。
【００１４】
吸込具７には床面の塵埃を吸引する床面吸込口１４と、空気中の浮遊塵埃を吸引する空気取入口１２が備えられており、開口方向設定手段１３によって空気取入口１２は開口方向を変化させる。また、吸込具７には、吸込具７の進行方向を検知する進行方向検知手段１６が備えられており、制御手段３と電気的に接続されている。
【００１５】
制御手段３は入力設定手段４からの信号に応じて、電動送風機駆動手段により位相制御を行うことで、電動送風機１の入力を可変させる。また、制御手段３は、進行方向検知手段１６から吸込具７の進行方向情報を受信し、その信号に応じて開口方向設定手段１３に空気取入口１２の開口方向を変化させる。
【００１６】
以下、図２、図３を用いてその動作・作用について説明する。
【００１７】
使用者が入力設定手段４を操作し、電気掃除機の運転を開始する（ステップ１）。入力設定手段４から信号を受けた制御手段３は、電動送風機駆動手段１５に駆動信号を発信し、電動送風機１を動作させることで吸引風を発生させる（ステップ２）。発生した吸引風により、吸込具７の床面吸込口１４からは、床面上の塵埃が吸引されるとともに、空気取入口１２からは空気中の浮遊塵埃が吸引される。
【００１８】
ここで、使用者が吸込具７を前方向に操作すると、進行方向検知手段１６は前方向に動作したことを表す信号を制御手段３に発信する（ステップ３）。この信号を受信した制御手段３は、開口方向設定手段１３に空気取入口１２の開口方向を図２（Ａ）のように、吸
込具７の前方を向くように動作させる（ステップ４）。
【００１９】
逆に使用者が吸込具７を後方向に操作すると、進行方向検知手段１６は後方向に動作したことを表す信号を制御手段３に発信する（ステップ３）。この信号を受信した制御手段３は、開口方向設定手段１３に空気取入口１２の開口方向を図２（Ｂ）のように、吸込具７の後方を向くように動作させる（ステップ６）。
【００２０】
一般に吸引具を前に操作した場合には吸引具が床面の塵埃を押し上げ塵埃の舞上がりが増加して、前方の浮遊塵埃量の分布が大きくなる。特に壁際や障害物が前方にある場合はこの現象が顕著である。
【００２１】
よって本実施の形態では、吸引具７が前方向に動いたタイミングで開口方向設定手段１３により空気取入口１２の開口方向を前方に向けることができるので効率良く浮遊塵埃を吸引できる。
【００２２】
同様に、吸引具を後方向に操作した場合には吸引具が床面の塵埃を押し上げ塵埃の舞上がりが増加して、後方の浮遊塵埃量の分布が大きくなる。
【００２３】
よって本実施の形態では、吸引具７が後方向に動いたタイミングで開口方向設定手段１３により空気取入口１２の開口方向を後方に向けることができるので効率良く浮遊塵埃を吸引できる。
【００２４】
なお、床面の塵埃が非常に多い場合や毛の長いじゅうたんなど吸引力が不足する特殊な場合は上記の一般論と違い、吸引具を前に操作した場合に吸引具の後方で浮遊塵埃量の分布が大きくなる場合がある。この場合は、浮遊塵埃量を測定できるセンサ等を用いて吸引具のどちら方向に浮遊塵埃が多く分布しているかを測定し、開口方向設定手段１３により空気取入口１２の開口方向を浮遊塵埃の多い方に向けるようにしても良い。
【００２５】
以上のように本実施の形態においては、吸込具７の進行方向に向けて空気取入口１２を動作させるため、吸込具７の進行方向に因らず、浮遊塵埃の吸引を行うことが可能となる。
【００２６】
また、吸込具７が使用者に操作されずに停止状態である場合、空気取入口１２を特定の方向に向けていても、その方向に浮遊塵埃が多いとも限らない。そのため、進行方向検知手段１６は吸込具７の状態が操作されていない停止状態であると判断した場合、停止状態を表す信号を制御手段３に発信する（ステップ３）。この信号を受信した制御手段３は、図２（Ｃ）のように空気取入口１２の方向を鉛直方向に動作させることにより、精度良く浮遊塵埃を吸引することができる（ステップ６）。
【００２７】
尚、本実施の形態においては、前後方向への吸込具７の動作を検知して、空気取入口１２を前後方向に動作させた例で説明を行っているが、前後以外の方向への吸込具７の動作を検知して、空気取入口１２をその方向に動作させても良い。
【産業上の利用可能性】
【００２８】
以上のように、本発明は床面掃除を主目的とした電気掃除機、特に、床面のみでなく空気中の浮遊塵埃をも集塵する電気掃除機に対して効果を発揮するものであり、家庭用だけでなく、ビルトインタイプ（セントラルクリーナ）のような電気掃除機への応用展開も有用である。
【図面の簡単な説明】
【００２９】
【図１】本発明の実施の形態における電気掃除機の概略図
【図２】同電気掃除機の吸込具の進行方向と開口方向設定手段の動作状態を示す概略図
【図３】同電気掃除機の動作を説明するフローチャート
【符号の説明】
【００３０】
１  電動送風機
３  制御手段
７  吸込具
１２  空気取入口
１３  開口方向設定手段
１４  床面吸込口
１６  進行方向検知手段
【図１】
2010094399.tif 000003
【図２】
2010094399.tif 000004
【図３】
2010094399.tif 000005